(57)【要約】【課題】  入浴者が座った姿勢をとらなくても足部の入浴を行うことができ、マッサージ効果や洗浄効果が高い足浴器を提供することを課題とする。【解決手段】  足浴器１は、脚部Ａを水平にして足部Ｂを投入するたらい状の貯湯槽２１を備えた貯湯部２と、該貯湯部２の上方に配設したシャワー噴出部３と、該貯湯槽２１と該シャワー噴出部３と投入された足部Ｂとを覆うカバー部４とを備えていることを特徴とする。シャワー噴出部３には、複数のノズル３３、３４が設けられており、当該ノズルから湯を噴出することにより、足部Ｂのマッサージと洗浄を行う。【選択図】  図１
2006305200.tif 000002
【特許請求の範囲】
【請求項１】
入浴者の脚部を水平にして足部を投入するたらい状の貯湯槽を備えた貯湯部と、該貯湯部の上方に配設したシャワー噴出部と、該貯湯槽と前記シャワー噴出部と投入された足部とを覆うカバー部と、を備えていることを特徴とする足浴器。
【請求項２】
前記貯湯部は、その縁部に脚部を支持するためのレスト部が設けられている請求項１記載の足浴器。
【請求項３】
前記シャワー噴出部は、複数のノズルを備え、シャワー噴出圧力が互いに異なる複数種のノズルを備えている請求項１記載の足浴器。
【請求項４】
前記カバー部は、スタンドとシート状のカバー部材から構成されており、該スタンドは前記シャワー噴出部と前記カバー部材とを支持し、該カバー部材の下縁は、前記貯湯部の貯湯槽内に位置する請求項１記載の足浴器。
【請求項５】
前記カバー部は、脚部投入口を有しており、該脚部投入口は、前記カバー部材に複数の縦方向の切り込みを設けることにより形成されている請求項４記載の足浴器。
【発明の詳細な説明】
【技術分野】
【０００１】
本発明は、足浴器に関し、さらに詳しくは、病人や身障者や老人等の足部の入浴を行うための足浴器に関する。
【背景技術】
【０００２】
従来の足浴器は、たらい型や足型の貯湯部を備え、その貯湯部に湯を貯めるタイプのものが多く、入浴者は椅子等に腰掛けて足を貯湯部に入れて足部の入浴を行っていた。また、従来の足浴器には、以上のような貯湯部に湯を貯めておくタイプのほかに、湯をミスト（霧状）にして足に噴射するタイプのものもあるが、この場合も入浴者は椅子等に腰掛けて足部の入浴を行っていた。
【発明の開示】
【発明が解決しようとする課題】
【０００３】
病人や障害者においては、発熱等で健康状態がすぐれず全身入浴が不可能な場合に足部だけでも入浴できるように足浴器を使用したいという希望がある。しかしながら、従来の足浴器では入浴者が椅子などに座った姿勢をとる必要があるが、病人や障害者はそのような姿勢をとることができない場合がある。このような場合、従来の足浴器を使用することができないという問題点があった。
【０００４】
また、従来の足浴器は、足のマッサージ効果が小さく、汚れやすい足指間の洗浄作用が期待できないという問題点があった。
【０００５】
本発明は上記課題に鑑み、入浴者が座った姿勢をとらなくても足部の入浴を行うことができ、またマッサージ効果や洗浄効果が高い足浴器を提供することを目的とする。
【課題を解決するための手段】
【０００６】
本発明に係る足浴器は、入浴者の脚部を水平にして足部を投入するたらい状の貯湯槽を備えた貯湯部と、該貯湯部の上方に配設したシャワー噴出部と、該貯湯槽と該シャワー噴出部と投入された足部とを覆うカバー部とを備えたことを特徴とする。
【０００７】
本発明によれば、入浴者は寝た状態（横臥した状態）で足浴を行うことができる。このため、病人や障害者においては、発熱等で健康状態がすぐれず全身入浴が不可能な場合においても座った姿勢をとることなく足浴器を使用することができる。また、シャワー噴出部が貯湯部の上方に配設されているため、シャワー噴出部から噴出された湯により足指間の汚れを効率的に洗浄することが可能である。
【０００８】
また、本発明に係る足浴器は、前記貯湯部がその縁部に脚部を支持するためのレスト部を備えることが好ましい。このような構成によれば、脚部を支持するためのレスト部が貯湯部の縁部に設けられているため、脚部を安定して支持できるほか、入浴者の脚部への負担を減少することができる。また、入浴者の脚部を安定して支持できると、貯湯部自体の安定性を確保することができるため、貯湯部の望ましくない移動により湯がこぼれるという事態を回避することができる。
【０００９】
さらに、本発明に係る足浴器は、前記シャワー噴出部が、シャワー噴出圧力が互いに異なる複数種のノズルを備えていることが好ましい。このようなシャワー噴出圧力が互いに異なる複数のノズルを備えたシャワー噴出部を備えることにより、マッサージ効果を高めることが可能となる。
【００１０】
さらに、本発明に係る足浴器は、前記カバー部が、スタンドとシート状のカバー部材から構成され、該スタンドは前記シャワー噴出部と前記カバー部材とを支持し、該カバー部材の下縁は、前記貯湯部の貯湯槽内に位置するようにすることが好ましい。このような構成によれば、スタンドがシャワー噴出部とカバー部材の両者を支持することができるため、足浴器の部品点数を減少することができ、また足浴器の設置容易性を向上させることができる。また、カバー部材の下縁が貯湯槽内に位置するため、カバー部内に飛散した水滴を効率的に貯湯槽内へ落下することができる。
【００１１】
さらに、本発明に係る足浴器は、前記カバー部が、カバー部材に複数の縦方向の切り込みを設けることにより形成された脚部投入口を有することが好ましい。これにより、足浴器への脚部の投入を容易にするとともに、外部への湯の飛散を防止することができる。
【発明を実施するための最良の形態】
【００１２】
以下、添付図面を参照しつつ本発明に係る実施形態の足浴器について詳細に説明する。
図１は、本実施形態の足浴器１の使用状態を示す斜視図である。足浴器１は、脚部Ａを水平にして足部Ｂを投入するたらい状の貯湯槽２１を備えた貯湯部２と、該貯湯部２の上方に配設したシャワー噴出部３と、該貯湯槽２１とシャワー噴出部３と投入された足部Ｂとを覆うカバー部４とを備えている。
【００１３】
貯湯部２は、ＦＲＰやプラスチックなどから形成されており、その中央に略四角形のたらい状の貯湯槽２１が設けられている。この貯湯槽２１の周囲は、略コの字状に縁部２２が設けられており、湯が外部に漏出することを防止している。貯湯槽２１の縁部２２が設けられていない部分は、図３に示すように、縁部２２より高さが低くかつ幅広に形成されており、当該部分が脚部を支持するためのレスト部２３となっている。なお、レスト部２３上にはビニール製のエアマット（図示せず）を載置することも可能であり、このエアマットにより入浴者の脚部Ａを柔らかく支持することができる。また、貯湯部２には、外部と貯湯槽２１とを貫通する排水口２４が設けられている。この排水口２４に排水ホース１２が接続されるようになっている。
【００１４】
シャワー噴出部３は、図３に示すように、支持板３１、給湯管３２、８個のノズル３３、３４及び給湯口３５とから構成されている。支持板３１に支持されている給湯管３２には、計８個のノズル３３、３４が４個づつ２列に配置されている。ノズル３３と３４は、それぞれ互いにシャワーの噴出量（噴出圧力）が異なるノズルであり、マッサージ効果を高めることができるようになっている。このノズルの個数は一例であり、適宜変更してもよい。また、シャワー噴出圧力が互いに異なる３種以上のノズルを設けてもよい。さらに、このノズルの配置は、入浴者の足部に心地よいマッサージ効果が得られるように適宜その配列や位置を変更して配置することが望ましい。なお、給湯管３２の開口端には給湯口３５が設けられており、図１および図２に示すように、給湯ホース１０が接続されるようになっている。
【００１５】
カバー部４は、図２に示す籠状のスタンド４１と、図１に示すシート状のカバー部材４３とから構成されている。スタンド４１は複数のステンレス製のパイプ４２をそれぞれ湾曲して形成したものであり、それらの上端はシャワー噴出部３の支持板３１に固定されている。また、それらの下端は、貯湯部２の貯湯槽２１の底板部分に載置されている。このため、スタンド４１はシャワー噴出部３を貯湯部２の上方に支持することができる。なお、スタンド４１のパイプ４２の上端は、支持板３１に回動可能にピボット止めしてもよく、そのようにすることによりスタンド４１を折りたたみ可能にすることができる。
【００１６】
カバー部材４３は、塩化ビニールなどの合成樹脂製のシート状部材であり、下端が開口した袋状となっている。このカバー部材４３の下縁４４は、貯湯部２の貯湯槽２１内に位置し、カバー部４内に飛散した水滴を効率的に貯湯槽２１内へ落下させることができる。また、このカバー部材４３の側方には脚部投入口４５が設けられている。この脚部投入口４５は、カバー部材に複数の縦方向の切り込みを入れることにより形成されている。この切り込みは、図１に示すように、入浴者の脚部Ａを貯湯部２の貯湯槽２１内への投入を可能とするとともに、当該部分から外部への湯の飛散を防止している。なお、この脚部投入口４５の部分は、カバー部材４３を二重にすることが好ましく、それにより外部への湯の飛散をより効果的に防止することができる。
【００１７】
次に、本実施形態の足浴器１の作用を説明する。
足浴器１を設置するには、最初に入浴者の脚部Ａの下方に脚部Ａを持ち上げながら貯湯部２を設置する。次に、シャワー噴出部３を支持しているスタンド４１を貯湯槽２１内へ載置する。さらに、カバー部材４３をシャワー噴出部３とスタンド４１の上から被せるように配置する。
【００１８】
足浴器１の設置が完了した後に、移動式入浴装置搭載車両（図示せず）に搭載されている給湯器（図示せず）へ連結されている給湯ホース１０をシャワー噴出部３の給湯口３５に接続するとともに、移動式入浴装置搭載車両に搭載されている可搬式排水ポンプ(図示せず)へ、排水ホース１２を介して貯湯部２の排水口２４を接続する。
【００１９】
上記移動式入浴装置搭載車両から圧送される湯は、シャワー噴出部３の各ノズル３３、３４から噴出され、これら異なる複数のシャワー噴出圧力により入浴者の足部をマッサージしながらこれを暖め血行を促進するとともに、効率的に足部の汚れを洗浄する。洗浄後の排水は貯湯槽２１に集められ、排水口２４を通じて上記移動式入浴装置搭載車両の排水槽に回収される。
【００２０】
なお、本実施形態は、介護業務において足浴器１が使用される場合を説明しており、足浴器１への給湯及びその排水を行う装置によって本願発明の技術的範囲が限定されるものではない。たとえば、家庭で個人的に使用する場合であれば、湯沸し器へ給湯ホース１０を繋ぐとともに、排水ホース１２を介して浴室などに排水すればよい。
【００２１】
本発明に係る足浴器によれば、入浴者は寝た状態（横臥した状態）で足浴を実行することができる。このため、病人や障害者においては、発熱等のために全身入浴が不可能な場合においても座った姿勢をとることなく足浴器を使用することができる。これは、実際の介護業務において、入浴者の健康状態に応じて全身入浴と足部の入浴とを選択することができ、入浴者の健康管理をよりいっそう充実させることを可能とするものである。
【００２２】
また、シャワー噴出部が貯湯部の上方に配設されているため、入浴者が仰向けに横臥した状態では、シャワー噴出部から噴出された湯により足指間の汚れを効率的に洗浄することが可能である。
【００２３】
さらに、本発明に係る足浴器は、脚部を支持するためのレスト部が貯湯部の縁部に設けられているため、脚部を安定して支持できるほか、入浴者の当該脚部への負担を減少することができる。また、このように入浴者の脚部を安定して支持できると、貯湯部自体の安定性を確保することができるため、貯湯部の望ましくない移動により湯がこぼれるという事態を回避することができる。
【００２４】
さらに、本発明に係る足浴器は、シャワー噴出圧力が互いに異なる複数のノズルを備えたシャワー噴出部を備えることにより、マッサージ効果を高めることが可能となる。
【００２５】
さらに、本発明に係る足浴器は、スタンドがシャワー噴出部とカバー部材の両者を支持することができるため、足浴器の部品点数を減少することができ、また、足浴器の設置容易性を向上することができる。また、カバー部材の下縁が貯湯槽内に位置するため、カバー部内に飛散した水滴を効率的に貯湯槽内へ落下することができる。
【００２６】
さらに、本発明に係る足浴器は、カバー部が脚部投入口を有しており、脚部の貯湯槽への投入を可能にするとともに、外部への湯の飛散を防止することができる。
【図面の簡単な説明】
【００２７】
【図１】本発明に係る実施形態の足浴器１の斜視図である。
【図２】図１に示す足浴器１の斜視図であり、カバー部材４３を取外した状態が示されている。
【図３】図１に示す足浴器１の側面図である。
【符号の説明】
【００２８】
１  足浴器
１０  給湯ホース
１２  排水ホース
２  貯湯部
２１  貯湯槽
２２  縁部
２３  レスト部
２４  排水口
３  シャワー噴出部
３１  支持板
３２  給湯管
３３、３４  ノズル
３５  給湯口
４  カバー部
４１  スタンド
４２  パイプ
４３  カバー部材
４４  カバー部材下縁
４５  脚部投入口
【図１】
2006305200.tif 000003
【図２】
2006305200.tif 000004
【図３】
2006305200.tif 000005